(57)【要約】      （修正有）【課題】小さな力で回転レバーを操作することができるコネクタを提供する。【解決手段】雄コネクタ３のハウジングに第１嵌合検知用端子５を保持させ、第１嵌合検知用端子５の近傍に位置するようにハウジングに第２嵌合検知用端子６を保持させる。ハウジングに対して雌コネクタ１１のハウジング１２を嵌合・離脱させる回転レバー１３を、ハウジング１２に回転可能に支持させる。回転レバー１３には、指で回転操作するための結合部と、ハウジングに対するハウジング１２の嵌合が完了したとき第１、第２嵌合検知用端子５，６同士を接触状態又は非接触状態にする短絡解除片とを形成する。結合部よりも短絡解除片を回転レバー１３の回転中心の近くに位置させる。【選択図】図１３
2008084553.tif 000002
【特許請求の範囲】
【請求項１】
第１コネクタとこの第１コネクタに接続される第２コネクタとで構成されるコネクタにおいて、
前記第１コネクタは、
第１ハウジングと、
この第１ハウジングに保持される第１嵌合検知用端子と、
前記第１ハウジングに保持され、前記第１嵌合検知用端子の近傍に位置する第２嵌合検知用端子とを備え、
前記第２コネクタは、
前記第１ハウジングに嵌合可能な第２ハウジングと、
この第２ハウジングに回転可能に支持され、前記第１ハウジングに対して前記第２ハウジングを嵌合・離脱させる回転レバーとを備え、
前記回転レバーは、
回転操作するための回転操作部と、
前記第１ハウジングに対する前記第２ハウジングの嵌合が完了したとき前記第１、第２嵌合検知用端子同士を接触状態又は非接触状態にする状態変更部とを有し、
前記状態変更部が前記回転操作部よりも前記回転レバーの回転中心の近くに位置している
ことを特徴とするコネクタ。
【請求項２】
前記第２コネクタは、前記第１ハウジングと前記第２ハウジングとを離脱させる方向へ前記回転レバーを付勢する付勢部材を有することを特徴とする請求項１記載のコネクタ。
【発明の詳細な説明】
【技術分野】
【０００１】
この発明はテコの原理を用いて第１コネクタと第２コネクタとを嵌合させるようにしたコネクタに関する。
【背景技術】
【０００２】
従来、雄コネクタと雌コネクタとで構成され、テコの原理によって雄コネクタと雌コネクタとを接続させるコネクタが知られている（下記特許文献１参照）。
【０００３】
雄コネクタは雄ハウジングとほぼＵ字状のてこ部材とを有する。
【０００４】
てこ部材の一端部は雄ハウジングに回転可能に取り付けられ、てこ部材の他端部は操作部となる。てこ部材の操作部の近傍には、互いに導通する２つの接点を有するほぼＵ字状の接触片が取り付けられている。
【０００５】
雌コネクタは雌ハウジングを有する。雌ハウジングにはてこ部材の弧状スリットに嵌入する係合子が設けられている。また、雌ハウジングには２つのピン状の接続状態検出用端子が設けられている。
【０００６】
雄コネクタと雌コネクタとを接続するには、まず、雄ハウジングと雌ハウジングとを浅く嵌合させる。このとき雌ハウジングの係合子がてこ部材の弧状スリットに入る。
【０００７】
この状態で操作部を押しててこ部材を回転させると、弧状スリットは係合子を雄ハウジングの方へ引き寄せるため、雄ハウジングと雌ハウジングとが互いに深く嵌合する。
【０００８】
このときてこ部材の２つの接点が２つの接続状態検出用端子に接触し、２つの接続状態検出用端子同士が接触片を通じて短絡する。
【０００９】
その結果、雄コネクタと雌コネクタとが嵌合したことを検知することができる。
【特許文献１】実用新案登録公報第２５９５７１１号（段落０００２、００１１、００１２参照）
【発明の開示】
【発明が解決しようとする課題】
【００１０】
上述のコネクタでは、Ｕ字状の接触片の２つの接点はてこ部材の操作部の近傍にあるので、その２つの接点を接続状態検出用端子に接触させるとき、テコの原理が働かない。
【００１１】
このため、てこ部材を回転させて雄ハウジングと雌ハウジングとを嵌合させるとき、雄ハウジングと雌ハウジングとが完全に嵌合する直前にてこ部材と雄ハウジングとの間の摩擦力が急激に大きくなり、操作性が良くなかった。
【００１２】
この発明はこのような事情に鑑みてなされたもので、その課題は、小さな力で回転レバーを操作することができるコネクタを提供することである。
【課題を解決するための手段】
【００１３】
前述の課題を解決するため請求項１の発明のコネクタは、第１コネクタとこの第１コネクタに接続される第２コネクタとで構成されるコネクタにおいて、前記第１コネクタは、第１ハウジングと、この第１ハウジングに保持される第１嵌合検知用端子と、前記第１ハウジングに保持され、前記第１嵌合検知用端子の近傍に位置する第２嵌合検知用端子とを備え、前記第２コネクタは、前記第１ハウジングに嵌合可能な第２ハウジングと、この第２ハウジングに回転可能に支持され、前記第１ハウジングに対して前記第２ハウジングを嵌合・離脱させる回転レバーとを備え、前記回転レバーは、回転操作するための回転操作部と、前記第１ハウジングに対する前記第２ハウジングの嵌合が完了したとき前記第１、第２嵌合検知用端子同士を接触状態又は非接触状態にする状態変更部とを有し、前記状態変更部が前記回転操作部よりも前記回転レバーの回転中心の近くに位置していることを特徴とする。
【００１４】
上述のように、回転レバーは、回転操作するための回転操作部と、第１ハウジングに対する第２ハウジングの嵌合が完了したとき第１、第２嵌合検知用端子同士を接触状態又は非接触状態にする状態変更部とを有し、状態変更部が回転操作部よりも回転レバーの回転中心の近くに位置している。したがって、回転操作部を回転操作して状態変更部によって第１、第２嵌合検知用端子同士を接触状態又は非接触状態にするときにテコの原理が働く。
【００１５】
請求項２の発明は、請求項１記載のコネクタにおいて、前記第２コネクタは、前記第１ハウジングと前記第２ハウジングとを離脱させる方向へ前記回転レバーを付勢する付勢部材を有することを特徴とする
【発明の効果】
【００１６】
この発明のコネクタによれば、小さな力で回転レバーを操作することができる。
【発明を実施するための最良の形態】
【００１７】
以下、この発明の実施の形態を図面に基づいて説明する。
【００１８】
図１はこの発明の第１実施形態に係るコネクタの斜視図、図２は図１に示すコネクタの雄コネクタの斜視図、図３は図１に示すコネクタの雄コネクタのハウジングを示し、同図（ａ）は正面図、同図（ｂ）は平面図、図４は図３に示すハウジングの断面を示し、同図（ａ）は図３（ａ）のＡ−Ａ線に沿う断面図、同図（ｂ）は図３（ａ）のＢ−Ｂ線に沿う断面図、図５は図１に示すコネクタの雄コネクタの天井壁を切断した状態を示す斜視図、図６は図１に示すコネクタの雄コネクタの第１、２嵌合検知用端子の周辺部分の斜視図である。
【００１９】
図１に示すように、このコネクタは雄コネクタ（第１コネクタ）３と雄コネクタ３に接続される雌コネクタ（第２コネクタ）１１とで構成される。
【００２０】
図２〜６に示すように、雄コネクタ３はハウジング（第１ハウジング）４と第１嵌合検知用端子５と第２嵌合検知用端子６とを備える。
【００２１】
ハウジング４は一面が開口したほぼ筐体状であり、天井壁４１と底壁４２と側壁４３，４４と後壁４５とを有する。
【００２２】
天井壁４１の両端部の内面には係合凸部４１ａが形成されている（図３参照）。底壁４２の両端部の内面には係合凸部４２ａが形成されている。係合凸部４２ａはハウジング４の高さ方向で係合凸部４１ａに対向する。底壁４２の外面には位置決めピン４２ｂが形成されている。位置決めピン４２ｂはプリント配線板（図示せず）に対する雄コネクタ３の位置を決める。後壁４５の内面には短絡解除リブ４５ａが形成されている。短絡解除リブ４５ａは嵌合方向へ延びている。また、後壁４５の両端部の内面には、それぞれ２つの嵌合検知用端子５，５の接触部５ａ，５ａを保持する第１嵌合検知用端子保持リブ４５ｄが設けられている。第１嵌合検知用端子保持リブ４５ｄには、第１嵌合検知用端子５の接触部５ａを収容する溝４５ｆが形成されている。更に、後壁４５の両端部の内面には、それぞれ第２嵌合検知用端子６を収容する第２嵌合検知用端子収容溝４５ｅが形成されている。
【００２３】
ハウジング４内の空間はブロック状部４６で２つの収容空間４７，４８に仕切られている。収容空間４７，４８にはそれぞれ雌コネクタ１１が収容される。
【００２４】
第１嵌合検知用端子５はほぼＬ字状であり、接触部５ａとプレスフィット部５ｂと結合部５ｃとを有する。第１接触部５ａは第１嵌合検知用端子保持リブ４５ｄに保持され、第２嵌合検知用端子６に接触する。プレスフィット部５ｂはプリント配線板のスルーホールに圧入される。結合部５ｃは接触部５ａとプレスフィット部５ｂとを結合する。
【００２５】
第２嵌合検知用端子６は一対の接触部６１，６２と一対の圧入部６３，６４とこれらを結合する結合部（図示せず）とを有する。一対の接触部６１，６２は２つの嵌合検知用端子５の接触部５ａに常時接触するように第１接触部５ａに対して一対の接触部６１，６２のばね力が作用する。一対の接触部６１，６２の一側面にはそれぞれ傾斜面６１ａ，６２ａが形成されている。傾斜面６１ａ，６２ａは第１嵌合検知用端子５と第２嵌合検知用端子６との間に後述する短絡解除片１３１ｃを入りやすくする。一対の圧入部６３，６４は第２嵌合検知用端子収容溝４５ｅに圧入されている。
【００２６】
後壁４５の孔４５ｃには雄コンタクト９が保持されている。雄コンタクト９はほぼＬ字状であり、接触部９ａとプレスフィット部９ｂ（図２参照）と結合部９ｃ（図２参照）とを有する。接触部９ａは雌コネクタ１１の雌コンタクト（図示せず）に接触する。プレスフィット部９ｂはプリント配線板のスルーホールに圧入される。結合部９ｃは接触部９ａとプレスフィット部９ｂとを結合する。
【００２７】
図７は図１に示すコネクタの雌コネクタのハウジングを示し、同図（ａ）は正面図、同図（ｂ）は背面図、図８は図７に示すハウジングの断面を示し、同図（ａ）は図７（ａ）のＣ−Ｃ線に沿う断面図、同図（ｂ）は図７（ａ）のＤ−Ｄ線に沿う断面図、図９は図１に示すコネクタの雌コネクタの回転レバーの斜視図、図１０は図９に示す回転レバーを示し、同図（ａ）は平面図、同図（ｂ）は同図（ａ）のＥ−Ｅに沿う断面図である。
【００２８】
図７〜１０に示すように、雌コネクタ１１はハウジング１２と回転レバー１３とを有する。
【００２９】
ハウジング１２の上部及び下部にはレバー収容室１２１，１２２が形成されている。また、ハウジング１２には複数の雌コンタクト収容室１２３が形成されている。雌コンタクト収容室１２３の内面にはランス１２３ａが形成されている。ランス１２３ａは雌コンタクト収容室１２４に収容された雌コンタクト（図示せず）を係止する。
【００３０】
また、ハウジング１２の上半分の部分には１０個の短絡端子収容室１２４が形成されている。短絡端子収容室１２４は雌コンタクト収容室１２３に通じている。短絡端子収容室１２４には短絡端子（図示せず）が収容されている。短絡端子は雌コネクタ１１が雄コネクタ３に接続されていないとき、２つの雌コンタクト同士を短絡させる。
【００３１】
レバー収容室１２１内には回転中心軸１２５が形成され、レバー収容室１２２内には回転中心軸１２６が形成されている。また、レバー収容室１２１の天井にはピン１５が設けられている。
【００３２】
また、レバー収容室１２１内にはロックレバー１２７が形成されている。ロックレバー１２７の下方には、ロックレバー１２７を下方へ押圧できるように、空間１２８が形成されている。
【００３３】
ハウジング１２にはリテーナ収容室１２９が形成されている。リテーナ収容室１２９にはリテーナ（図示せず）が収容される。リテーナは雌コンタクト収容室１２３に収容された雌コンタクトをハウジング１２と協同して係止する。
【００３４】
回転レバー１３は、一対の回転中心部１３１，１３２と、これらの回転中心部１３１，１３２にそれぞれ結合された一対のアーム部１３３，１３４と、アーム部１３３，１３４同士を結合する結合部（回転操作部）１３５とを有する。
【００３５】
一対の回転中心部１３１，１３２の中心部にはそれぞれ中心孔１３１ａ，１３２ａが形成されている。
【００３６】
一対の回転中心部１３１，１３２の外周縁部にはそれぞれ係合凹部１３１ｂ，１３２ｂが形成されている。
【００３７】
回転中心部１３１の外周面には短絡解除片１３１ｃが形成されている。また、回転中心部１３１の外周面には短絡解除片１３１ｃに隣接させてストッパ１３１ｆが形成されている。
【００３８】
また、回転中心部１３１の中心孔１３１ａの周りにはほぼ環状の収容溝１３１ｅが形成されている。収容溝１３１ｅ隣接させて貫通孔１３１ｄが形成されている。
【００３９】
収容溝１３１ｅにはつる巻きばね１３７が収容される。つる巻きばね１３７の一端はハウジング１２のピン１５に引っ掛けられ、他端は貫通孔１３１ｄに挿入され回転レバー１３に固定される。このつる巻きばね１３７のばね力により、回転レバー１３は常時離脱方向へ付勢される。
【００４０】
回転中心部１３１，１３２の中心孔１３１ａ，１３２ａに回転中心軸１２５，１２６を挿入することによって、回転レバー１３をハウジング１２に対して回転可能にした。
【００４１】
図１１は図１に示すコネクタの雄コネクタと雌コネクタとが嵌合する前の状態を示す断面図、図１２は図１に示すコネクタの雄コネクタと雌コネクタとが少し嵌合した状態を示す断面図、図１３は図１に示すコネクタの雄コネクタと雌コネクタとが完全に嵌合した状態を示す断面図、図１４は図１に示すコネクタの雄コネクタと雌コネクタとが浅く嵌合したときの回転レバーと第１、２嵌合検知用端子との関係を示す斜視図、図１５は図１に示すコネクタの雄コネクタと雌コネクタとが浅く嵌合したときの回転レバーとロックレバーとの関係を示す斜視図、図１６は図１に示すコネクタの雄コネクタと雌コネクタとが完全に嵌合したときの回転レバーと第１、２嵌合検知用端子との関係を示す斜視図、図１７は図１に示すコネクタの雄コネクタと雌コネクタとが完全に嵌合したときの回転レバーとロックレバーとの関係を示す斜視図である。
【００４２】
まず、図１１に示す状態では、第２嵌合検知用端子６と一対の第１嵌合検知用端子５とが短絡している。同様に、短絡端子収容室１２４内の短絡端子（図示せず）によって一対の雌コンタクト同士が短絡している。これにより、雌コネクタ１１側の回路が閉じられ、保護される。
【００４３】
図１１に示す状態から雌コネクタ１１を雄コネクタ３に浅く嵌合し、回転レバー１３の係合凹部１３１ｂ，１３２ｂに雄コネクタ３の係合凸部４１ａ，４２ａが入るようにする。回転レバー１３の係合凹部１３１ｂ，１３２ｂに雄コネクタ３の係合凸部４１ａ，４２ａが入ったら、回転レバー１３を図１２において反時計回りに回転させる。回転レバー１３を回転させると、係合凹部１３１ｂ，１３２ｂは回転レバー１３の回転とともに周方向へ移動しようとするが、その進行を係合凸部４１ａ，４２ａによって阻まれ、その反力によってハウジング１２は収容空間４７の奥深くへ挿入され、図１３に示す状態になる。このとき、第１嵌合検知用端子５と第２嵌合検知用端子６とは図１４に示すように短絡している。また、図１５に示すように、アーム部１３３の係合凹部１３３ａがロックレバー１２７の押圧部１２７ａを押圧しており、まだ回転レバー１３はロックされていない。
【００４４】
図１２に示す状態から更に回転レバー１３を反時計回りに回転させると、図１６に示すように、回転レバー１３の短絡解除片１３１ｃが第１嵌合検知用端子５と第２嵌合検知用端子６との間に割って入る。その結果、第２嵌合検知用端子６による第１嵌合検知用端子５同士の短絡が解除され、電気的に嵌合が完了したことを検知する。このとき、ストッパ１３１ｆは第２嵌合検知用端子６に当接する。このように、回転レバー１３の短絡解除片１３１ｃが第１嵌合検知用端子５と第２嵌合検知用端子６との間に入るとき、短絡解除片１３１ｃは回転レバー１３の中心部近くに位置し、回転レバー１３の押圧部は回転レバーの一端部にあるためテコの原理が作用する。
【００４５】
このときの回転レバー１３とロックレバー１２７との関係は図１７に示すように、回転レバー１３のアーム部１３３の係合凹部１３３ａにロックレバー１２７の押圧部１２７ａが係合し、回転レバー１３はロックされる。
【００４６】
雌コネクタ１１を雄コネクタ３から離脱させるには、まず、ロックレバー１２７の押圧部１２７ａを押し込み、押圧部１２７ａと係合凹部１３３ａとの係合を解き、回転レバー１３のロックを解除する。その後、回転レバー１３を時計回りに回転させれば、回転レバー１３の係合凹部１３１ｂ，１３２ｂが係合凸部４１ａ，４２ａを押圧し、その反力によって雌コネクタ１１が雄コネクタ３から離脱する。
【００４７】
以上のように、回転レバー１３の短絡解除片１３１ｃは回転レバー１３の中心部近くに位置し、回転レバー１３の押圧部は回転レバーの一端部にあるので、回転レバー１３の短絡解除片１３１ｃが第１嵌合検知用端子５と第２嵌合検知用端子６との間に入るときテコの原理が作用し、回転レバー１３の操作力が殆ど変化することがなく、操作性に優れている。
【００４８】
また、回転レバー１３が離脱方向へ付勢されているので、雄コネクタ３と雌コネクタ１１との嵌合が不完全であるとつる巻ばね１３７のばね力によって、回転レバー１３が押し返され、感触的に未嵌合の状態を知ることができる。例えば、製造ラインの途中において、まだ、電気的な嵌合検知を行えない段階でも、機械的に未嵌合を検出することができる。
【００４９】
図１８はこの発明の第２の実施形態に係るコネクタの第１，２嵌合検知用端子及びその周辺部分の斜視図である。
【００５０】
第１実施形態と共通する部分については同一符号を付してその説明を省略する。以下、主な相違部分についてだけ説明する。
【００５１】
第１実施形態では、第２嵌合検知用端子６の接触部６１，６２の側面６１ａ，６２ａが回転レバー１３の短絡解除片１３１ｃに対向するが、第２実施形態では、接触部２６１，２６２をＬ字形に形成し、接触部２６１，２６２の先端部２６１ａ，２６２ａの底面２６１ｃ，２６２ｃが短絡解除片１３１ｃに対向するようにした。
【００５２】
この実施形態によれば、第１実施形態と同様の効果を奏するとともに、回転レバー１３の操作力の変動をより小さくすることができる。
【００５３】
なお、上述の実施形態では、Ｕ字形の回転レバー１３を用いたが、１枚のアーム部しか持たないほぼ平板状の回転レバーを用いたコネクタにもこの発明を適用することができる。
【００５４】
また、上述の実施形態では、未嵌合状態のときに第１嵌合検知用端子５と第２嵌合検知用端子６とが常時接触するようにしたが、未嵌合状態のときに第１嵌合検知用端子５と第２嵌合検知用端子６とが非接触で、雄コネクタ３と雌コネクタ１１とが嵌合したときに、第２嵌合検知用端子６の接触部６１，６２を押圧するように構成して第１嵌合検知用端子５と第２嵌合検知用端子６とが接触状態になるようにして、嵌合を検知することができるようにしてもよい。
【００５５】
なお、第１実施形態では、一対の接触部６１，６２にそれぞれ傾斜面６１ａ，６２ａを形成したが、接触部６２にだけ傾斜面６２ａを形成するようにしてもよい。
【図面の簡単な説明】
【００５６】
【図１】図１はこの発明の第１実施形態に係るコネクタの斜視図である。
【図２】図２は図１に示すコネクタの雄コネクタの斜視図である。
【図３】図３は図１に示すコネクタの雄コネクタのハウジングを示し、同図（ａ）は正面図、同図（ｂ）は平面図である。
【図４】図４は図３に示すハウジングの断面を示し、同図（ａ）は図３（ａ）のＡ−Ａ線に沿う断面図、同図（ｂ）は図３（ａ）のＢ−Ｂ線に沿う断面図である。
【図５】図５は図１に示すコネクタの雄コネクタの天井壁を切断した状態を示す斜視図である。
【図６】図６は図１に示すコネクタの雄コネクタの第１、２嵌合検知用端子の周辺部分の斜視図である。
【図７】図７は図１に示すコネクタの雌コネクタのハウジングを示し、同図（ａ）は正面図、同図（ｂ）は背面図である。
【図８】図８は図７に示すハウジングの断面を示し、同図（ａ）は図７（ａ）のＣ−Ｃ線に沿う断面図、同図（ｂ）は図７（ａ）のＤ−Ｄ線に沿う断面図である。
【図９】図９は図１に示すコネクタの雌コネクタの回転レバーの斜視図である。
【図１０】図１０は図９に示す回転レバーを示し、同図（ａ）は平面図、同図（ｂ）は同図（ａ）のＥ−Ｅに沿う断面図である。
【図１１】図１１は図１に示すコネクタの雄コネクタと雌コネクタとが嵌合する前の状態を示す断面図である。
【図１２】図１２は図１に示すコネクタの雄コネクタと雌コネクタとが少し嵌合した状態を示す断面図である。
【図１３】図１３は図１に示すコネクタの雄コネクタと雌コネクタとが完全に嵌合した状態を示す断面図である。
【図１４】図１４は図１に示すコネクタの雄コネクタと雌コネクタとが浅く嵌合したときの回転レバーと第１、２嵌合検知用端子との関係を示す斜視図である。
【図１５】図１５は図１に示すコネクタの雄コネクタと雌コネクタとが浅く嵌合したときの回転レバーとロックレバーとの関係を示す斜視図である。
【図１６】図１６は図１に示すコネクタの雄コネクタと雌コネクタとが完全に嵌合したときの回転レバーと第１、２嵌合検知用端子との関係を示す斜視図である。
【図１７】図１７は図１に示すコネクタの雄コネクタと雌コネクタとが完全に嵌合したときの回転レバーとロックレバーとの関係を示す斜視図である。
【図１８】図１８はこの発明の第２の実施形態に係るコネクタの第１，２嵌合検知用端子及びその周辺部分の斜視図である。
【符号の説明】
【００５７】
３  雄コネクタ（第１コネクタ）
４  ハウジング（第１ハウジング）
５  第１嵌合検知用端子
６  第２嵌合検知用端子
８  コイルスプリング（付勢部材）
１１  雌コネクタ（第２コネクタ）
１２  ハウジング（第２ハウジング）
１３，２１３  回転レバー
１３１ｃ  短絡解除片（状態変更部）
１３５  結合部（回転操作部）
２３６  つる巻きばね（付勢部材）
【図１】
2008084553.tif 000003
【図２】
2008084553.tif 000004
【図３】
2008084553.tif 000005
【図４】
2008084553.tif 000006
【図５】
2008084553.tif 000007
【図６】
2008084553.tif 000008
【図７】
2008084553.tif 000009
【図８】
2008084553.tif 000010
【図９】
2008084553.tif 000011
【図１０】
2008084553.tif 000012
【図１１】
2008084553.tif 000013
【図１２】
2008084553.tif 000014
【図１３】
2008084553.tif 000015
【図１４】
2008084553.tif 000016
【図１５】
2008084553.tif 000017
【図１６】
2008084553.tif 000018
【図１７】
2008084553.tif 000019
【図１８】
2008084553.tif 000020